(57)【要約】【課題】リモコン装置の通信手段の変更のみで、設置後、操作がなされる前に、同一識別番号を持ったリモコン装置の複数設置を検知することが可能な給湯機のリモコン装置を提供すること。【解決手段】本発明の給湯機のリモコン装置は、給湯機本体と通信可能に接続され、給湯機本体の状態を表示する表示部と給湯機本体を操作する操作部とを備えた給湯機のリモコン装置であって、周辺環境の所定の物理量を検出するセンサと、給湯機本体からの通信信号に対する返信信号を送信するタイミングをセンサの検出値に応じて変更する変更手段と、返信信号を送信する前に他の返信信号を受信したかどうかを検知する検知手段と、を備える。【選択図】図２
2011133189.tif 000002
【特許請求の範囲】
【請求項１】
給湯機本体と通信可能に接続され、前記給湯機本体の状態を表示する表示部と前記給湯機本体を操作する操作部とを備えた給湯機のリモコン装置であって、
周辺環境の所定の物理量を検出するセンサと、
前記給湯機本体からの通信信号に対する返信信号を送信するタイミングを前記センサの検出値に応じて変更する変更手段と、
前記返信信号を送信する前に他の返信信号を受信したかどうかを検知する検知手段と、
を備えることを特徴とする給湯機のリモコン装置。
【請求項２】
前記センサは、音を電気信号に変換するマイクロフォンであり、
前記変更手段は、前記マイクロフォンによって検出された音圧の値に応じて前記タイミングを変更することを特徴とする請求項１記載の給湯機のリモコン装置。
【請求項３】
前記返信信号を送信する前に他の返信信号を受信したことが前記検知手段によって検知された場合に、前記給湯機本体との通信を停止し、前記表示部に、通常動作状態とは異なる表示を行うとともに、前記操作部のすべての操作を無効とする手段を備えることを特徴とする請求項１または２に記載の給湯機のリモコン装置。
【発明の詳細な説明】
【技術分野】
【０００１】
本発明は、給湯機のリモコン装置に関する。
【背景技術】
【０００２】
給湯機本体と、複数の給湯機用リモコン装置とを備えて構成される給湯機が広く用いられている。下記特許文献１には、給湯機本体に対する複数のリモコン装置からの信号の衝突を防止することを目的として、各リモコン装置の操作スイッチが操作されたときに乱数を発生させ、給湯機本体から送られる確認信号に対して各リモコン装置が返信信号を送出するタイミングをその乱数に基づいて決定することにより、返信信号の送出タイミングを自己以外の他のリモコン装置と異ならせるようにしたものが開示されている。
【先行技術文献】
【特許文献】
【０００３】
【特許文献１】特開２００５−７６９２７号公報
【発明の概要】
【発明が解決しようとする課題】
【０００４】
しかしながら、上記従来の技術では、給湯機本体とリモコン装置とを設置してからリモコン装置に操作が入るまでは、同一識別番号を持ったリモコン装置は返信タイミングが同じになるため、給湯機本体への返信信号が衝突し、誤動作を起こしてしまう場合がある。また、リモコン装置だけでなく、給湯機本体の通信手段にも変更が必要となるため、既存の給湯機本体への接続ができない。
【０００５】
本発明は、上記のような課題を解決するためになされたもので、リモコン装置の通信手段の変更のみで、設置後、操作がなされる前に、同一識別番号を持ったリモコン装置の複数設置を検知することが可能な給湯機のリモコン装置を提供することを目的とする。
【課題を解決するための手段】
【０００６】
本発明に係る給湯機のリモコン装置は、給湯機本体と通信可能に接続され、給湯機本体の状態を表示する表示部と給湯機本体を操作する操作部とを備えた給湯機のリモコン装置であって、周辺環境の所定の物理量を検出するセンサと、給湯機本体からの通信信号に対する返信信号を送信するタイミングをセンサの検出値に応じて変更する変更手段と、返信信号を送信する前に他の返信信号を受信したかどうかを検知する検知手段と、を備えたものである。
【発明の効果】
【０００７】
本発明によれば、同一識別番号を持ったリモコン装置の複数設置を防止し、誤動作を確実に防止することができる。
【図面の簡単な説明】
【０００８】
【図１】本発明の実施の形態１を示すブロック図である。
【図２】本発明の実施の形態１におけるリモコン装置が実行する通信制御処理の流れを示したフローチャートである。
【発明を実施するための形態】
【０００９】
以下、図面を参照して本発明の実施の形態について説明する。なお、各図において共通する要素には、同一の符号を付して、重複する説明を省略する。
【００１０】
実施の形態１．
図１は、本発明の実施の形態１を示すブロック図である。図１に示すように、本実施形態のシステムは、給湯機本体１と、台所リモコン（リモートコントローラ）装置２と、浴室リモコン装置３とを備えている。台所リモコン装置２及び浴室リモコン装置３は、給湯機本体１を遠隔操作するためのものであり、互いに異なる識別番号を有しており、給湯機本体１とそれぞれ通信可能に接続される。給湯機本体１は、図示を省略するが、湯を沸かすための加熱手段、各部の湯水の流れを制御するための弁類、各種センサ類、制御装置としてのマイコン（マイクロコンピュータ）などを備えている。台所リモコン装置２は、このリモコン装置全体の制御を行うマイコン４と、例えば液晶表示装置などで構成される表示部５と、ユーザの操作を受け付ける操作部６と、音を電気信号に変換可能なマイク（マイクロフォン）７とを備えている。表示部５、操作部６及びマイク７は、マイコン４に接続されている。これと同様に、浴室リモコン装置３も、マイコン４並びにこれに接続された表示部５、操作部６及びマイク７を備えている。表示部５には、給湯機本体１の動作状態、貯湯量、給湯設定温度などの情報が表示される。
【００１１】
図２は、本発明の実施の形態１におけるリモコン装置のマイコン４が実行する通信制御処理の流れを示したフローチャートである。このフローチャートに基づいて、本実施形態における制御の詳細を説明する。
【００１２】
ステップＳ１において、給湯機本体１からの通信信号を受信すると、ステップＳ２へ移行する。ステップＳ２では、受信した通信信号を解析し、給湯機本体１への返信信号を作成し、ステップＳ３へ移行する。
【００１３】
ステップＳ３では、マイク７からのアナログ信号をマイコン４にてデジタル信号に変換し、その音圧値を読み込んで、ステップＳ４へ移行する。ステップＳ４では、上記音圧値の下一桁が奇数であるかどうかを判断する。奇数である場合は、ステップＳ５へ移行し、偶数の場合はステップＳ６へ移行する。
【００１４】
ステップＳ５では、給湯機本体１への返信信号を、２種類ある遅延時間Ａ、Ｂのうち、Ｂよりも短い遅延時間であるＡタイミングで送信する。ステップＳ６では、２種類ある遅延時間Ａ、Ｂのうち短い遅延時間であるＡタイミングで返信信号を受信したかどうかを判断する。Ａタイミングで受信した場合はステップＳ７へ移行する。Ａタイミングで返信信号を受信した場合、その返信信号は、給湯機本体１に接続されている、同一の識別番号を持った他のリモコン装置が上記ステップＳ５の処理を行うことによって送信されたものであると判断することができる。このため、ステップＳ７では、給湯機本体１との通信を停止し、表示部５にて例えばエラー表示等、使用者に通常動作状態とは異なる状態であることを報知するための表示を行い、操作部６への操作入力をすべて無効とする。
【００１５】
一方、ステップ６で、Ａタイミングで返信信号を受信しない場合は、ステップＳ８へ移行する。ステップＳ８では、給湯機本体１への返信信号を、２種類ある遅延時間Ａ、ＢのうちＡよりも長い遅延時間であるＢタイミングで送信する。
【００１６】
上述したフローチャートの処理によれば、マイク７によって検出された周囲の音圧値の下一桁が奇数であるか偶数であるかに応じて、返信信号を送信するタイミングをＡまたはＢにランダムに変更することができる。同一識別番号を持った二つのリモコン装置が給湯機本体１に接続された場合であっても、その二つのリモコン装置は、別環境（別の場所）に設置されるので、周囲の音の信号レベルは大きく異なる。このため、設置後に返信信号を多くとも数回送信する間には、一方のリモコン装置の返信タイミングがＡで他方のリモコン装置の返信タイミングがＢになるようなときが到来する。その場合、上記他方のリモコン装置では、Ｂタイミングで返信信号を送信する前に、Ａタイミングで返信信号を受信することになるので、上記ステップＳ７へ辿り着くことになる。これにより、エラー表示がなされるので、同一の識別番号を持ったリモコン装置が誤って複数設置されていることを設置工事者に報知することができる。
【００１７】
なお、本実施形態では、マイク７で検出された音圧値に応じて返信信号の遅延時間のタイミングを変更しているが、マイク７に限らず、場所によって異なる所定の物理量を検出するセンサであれば如何なるセンサの検出値を用いてもよい。例えば、リモコン装置の周囲の温度を測定するサーミスタをリモコン装置内部に備え、そのサーミスタの検出値や、同様にリモコン装置に備えた赤外線センサ（人体の有無の検出可能なものなど）の検出値などに応じて返信信号の遅延時間のタイミングを変更してもよい。
【００１８】
また、本実施形態では、返信信号を送信するタイミングを２種類の遅延時間から選択しているが、３種類以上の遅延時間から選択するようにしてもよい。遅延時間の種類を増やすことにより、同一の識別番号を持った複数のリモコン装置が設置された場合に、何れかのリモコン装置をステップＳ７へより迅速に辿り着かせることができる。
【００１９】
以上説明したように、本発明によれば、リモコン装置の通信制御のみにより、リモコン装置の設置後、操作部６が操作される前に、同一の識別番号を持ったリモコン装置の複数設置を確実に検知することができる。このため、返信信号の衝突による誤動作を防止することができる。
【符号の説明】
【００２０】
１    給湯機本体
２    台所リモコン装置
３    浴室リモコン装置
４    マイコン
５    表示部
６    操作部
７    マイク
【図１】
2011133189.tif 000003
【図２】
2011133189.tif 000004